(57)【要約】【課題】  エアクリーナーへの水や汚れの侵入を車体カバーによって防ぐ構造においても、エアクリーナーのメンテナンスがしやすい自動二輪車の物入れを提供する。【解決手段】  エアクリーナー２のクリーナーケース２１には、物入れ１に臨む側にクリーナーエレメント２３を取り替えるための出入口２２が設けられ、出入口２２にケースリッド２４が気密に取付けられる。物入れ１の内壁に、出入口２２に対応してクリーナーエレメント２３を取り出す開口１４が設けられている。【選択図】  図２
2005145443.tif 000002
【特許請求の範囲】
【請求項１】
着座シートの下方周囲を車体カバーで覆うことにより形成される空間内に設けられる自動二輪車の物入れであって、
前記物入れと車体カバーの間に形成されるスペースに収容されると共に、前記物入れの近傍に位置するように配置され、クリーナーケースにクリーナーエレメントを収容してなるエアクリーナーを備え、
前記エアクリーナーのクリーナーケースに、前記物入れに臨む側に前記クリーナーエレメントを取り替えるための出入口を設け、該出入口に着脱自在なケースリッドを気密に取り付け、
前記物入れの内壁に、前記出入口に対応して前記クリーナーエレメントを取り替えるための開口を設けたことを特徴とする自動二輪車の物入れ。
【請求項２】
前記物入れの内壁に形成された開口に、着脱自在なカバーを取り付けたことを特徴とする請求項１に記載の自動二輪車の物入れ。
【請求項３】
着座シートの周囲下方を車体カバーで覆うことにより空間を形成した二輪自動車において、
前記空間に物入れを設け、
前記物入れと車体カバーの間のスペースに収容されると共に、前記物入れの近くに位置するように配置され、クリーナーケースにクリーナーエレメントを収容してなるエアクリーナーを備え、
前記エアクリーナーのクリーナーケースに、前記物入れに臨む側に前記クリーナーエレメントを取り替えるための出入口を設け、該出入口に着脱自在なケースリッドを気密に取り付け、
前記物入れの内壁に、前記出入口に対応して前記クリーナーエレメントを取り替える開口を設けたことを特徴とする自動二輪車。
【発明の詳細な説明】
【技術分野】
【０００１】
本発明は、自動二輪車の物入れに関する。
【背景技術】
【０００２】
図４は、従来のスクータ型自動二輪車を示す側面図である。このようなスクータ型自動二輪車は、例えば着座シート１０８下方の物入れの下部に、図示しないエンジン、キャブレタと動力伝達装置１０１とが一体に構成されたパワーユニットを備えており、このパワーユニットに続いて後輪１０６が配置されている。キャブレタの吸入空気の埃を取り除くために動力伝達装置１０１の上部にはエアクリーナー１０２が取り付けられている。エアクリーナー１０２は、スポンジ等のろ過材からなるクリーナーエレメント１０４が収納されたクリーナーケース１０３と、クリーナーエレメント１０４を交換できるよう着脱可能に取り付けたケースリッド１０５とで構成されている。ケースリッド１０５をクリーナーケース１０３に装着することにより、クリーナーエレメント１０４がクリーナーケース１０３及びケースリッド１０５の間に軸線方向に押えられて固定される。通常、クリーナーエレメント１０４は、クリーナーケース１０３内が左右２室に分割する形で設けられており、左右いずれか一方の部屋に吸気口が、他方の部屋に排気口が設けられる。吸気口からエレメント１０４の周囲に導入された空気はエレメント１０４を透過してろ過され、排気口からキャブレタへと導かれる。エアクリーナー１０２は、使用中、クリーナーエレメント１０４に埃が溜り、吸気抵抗の増大を招く。このため、エレメント１０４を定期的に交換したり、掃除したりする必要がある。
【０００３】
このように、エアクリーナー１０２が路面に近い位置に配置されているため、埃のみならず車輪から撥ね上げられた水なども、吸気口から直接侵入する確率が高く、クリーナーエレメント１０４が汚れ易くなっている。したがって、頻繁にクリーナーエレメント１０４の交換をしなければならないという問題がある。
【０００４】
このため、図５に示す他の例の自動二輪車のように、エアクリーナー２０２を剥出しにせず、路面から離れた奥まった位置に設けた構成が提案されている。この例によれば、エアクリーナー２０２は、物入れ２０６と並んで車体カバー２０７に囲まれるように形成されたクリーナーケースに、クリーナーエレメントを取り替えるための出入口（図示せず）が設けられている。このように、外部からの水、汚れが直接侵入することを大幅に抑制し、エレメントの取り替え回数を減らす工夫がなされている。
【発明の開示】
【発明が解決しようとする課題】
【０００５】
しかしながら、上記図５の例では、エアクリーナーのクリーナーエレメントの取り替えなどをさほど頻繁に行わずに済むものの、メンテナンス時、車体カバーなどを車体から取り外さなければならず、メンテナンスの手間が大幅に軽減されたとは言えない。
【０００６】
本発明は、上記問題点を解決するためになされたもので、エアクリーナーへの水等の侵入を車体カバーによって防ぐ構造であるにも拘わらず、エアクリーナーのメンテナンスを容易に行うことのできる自動二輪車およびその物入れを提供することを課題とする。
【課題を解決するための手段】
【０００７】
上記課題を解決するため、本発明は、着座シートの下方周囲を車体カバーで覆うことにより形成される空間内に設けられる自動二輪車の物入れであって、前記物入れと車体カバーの間に形成されるスペースに収容されると共に、前記物入れの近傍に位置するように配置され、クリーナーケースにクリーナーエレメントを収容してなるエアクリーナーを備え、前記エアクリーナーのクリーナーケースに、前記物入れに臨む側に前記クリーナーエレメントを取り替えるための出入口を設け、該出入口に着脱自在なケースリッドを気密に取り付け、前記物入れの内壁に、前記出入口に対応して前記クリーナーエレメントを取り替えるための開口を設けたものである。
【０００８】
また、前記物入れの内壁に形成された開口に、着脱自在なカバーを取り付けるのが好ましい。
【０００９】
また、上記課題を解決するため、本発明は、着座シートの周囲下方を車体カバーで覆うことにより空間を形成した二輪自動車において、前記空間に物入れを設け、前記物入れと車体カバーの間のスペースに収容されると共に、前記物入れの近くに位置するように配置され、クリーナーケースにクリーナーエレメントを収容してなるエアクリーナーを備え、前記エアクリーナーのクリーナーケースに、前記物入れに臨む側に前記クリーナーエレメントを取り替えるための出入口を設け、該出入口に着脱自在なケースリッドを気密に取り付け、前記物入れの内壁に、前記出入口に対応して前記クリーナーエレメントを取り替える開口を設けたものである。
【発明の効果】
【００１０】
前記構成によれば、着座シートを開け、物入れの内壁に形成された開口を介してクリーナーエレメントを取り替えることができるので、車体カバーなどを車体から取り外さなくてもクリーナーエレメントを交換することができ、メンテナンス時間を低減することができ、クリーナーエレメントのメンテナンス性を向上させることが可能となる。
【発明を実施するための最良の形態】
【００１１】
以下、本発明に係る実施形態を添付図面に従って説明する。
【００１２】
図１は、スクータ型自動二輪車、図２及び図３にその物入れを示す。このようなスクータ型自動二輪車１００は、後部に図示しないエンジン、キャブレタと動力伝達装置とが一体に構成されたパワーユニットを備えており、パワーユニットに後輪４が直接連結され、車体カバー５に囲まれてヘルメットなどを入れる物入れ１が図示しない着座シートの下方に配置されている。
【００１３】
エアクリーナー２は、動力伝達装置の上部に配設され、物入れ１と車体カバー５の間のスペース５０に取り付けられている。エアクリーナー２は、スポンジ等の多孔質ろ過材からなるクリーナーエレメント２３と、このエアクリーナー２３が収納されると共に、クリーナーエレメント２３を取り替えるための出入口２２を形成したクリーナーケース２１と、出入口２２に着脱可能に取付けられ、エアクリーナー１の気密性を保つためのケースリッド２４とで構成されている。また、エアクリーナー２は、クリーナーケース２１内をクリーナーエレメント２３によって吸気口２１１を設けた空気吸入室と、排気口２１２を設けた空気吐出室の２室に分割し、吸気口２１１からエレメント２３の周囲に導入された空気はエレメント２３を透過して排気口２１２からキャブレタへ流出する。
【００１４】
物入れ１の内壁１１には、エアクリーナー２の出入口２２に対応してクリーナーエレメント２３を取り出す開口１４が設けられている。開口１４には、見かけをよくするために着脱自在なカバー１３が取り付けられている。
【００１５】
本実施例の自動二輪車１００の物入れ１に、クリーナーエレメント２３を取り替えるための開口１４を設けることにより、クリーナーエレメント２３の交換等のメンテナンス時、単に着座シートを開け、カバー１３、リッド２４を外せばよく、従来のように車体カバーなどを取り外す必要がない。その結果、メンテナンス性が極めて高くなる。
【図面の簡単な説明】
【００１６】
【図１】本発明にかかるエアクリーナーを備えた自動二輪車を示す斜視図である。
【図２】物入れの概略斜視図である。
【図３】物入れの概略斜視図である。
【図４】従来の自動二輪車例を示す要部分解側面図である。
【図５】従来の他の自動二輪車例を示す斜視図である。
【符号の説明】
【００１７】
１００…自動二輪車
１…物入れ
１１…内壁
１３…カバー
１４…開口
２…エアクリーナー
２１…クリーナーケース
２１１…吸気口
２１２…排気口
２２…出入口
２３…クリーナーエレメント
２４…ケースリッド
４…後輪
５…車体カバー
５０…スペース
【図１】
2005145443.tif 000003
【図２】
2005145443.tif 000004
【図３】
2005145443.tif 000005
【図４】
2005145443.tif 000006
【図５】
2005145443.tif 000007